(57)【特許請求の範囲】
【請求項１】
左右の脚の上端に天板を水平な使用位置と垂直な収納位置の間を左右方向の軸の回りに回転可能に取り付け、天板を水平使用位置と垂直収納位置に保持する保持装置を設けた跳ね上げ型テーブルにおいて、
保持装置は、操作部を、天板の手前側部の下側近接位置に配置し、天板の手前側部と一緒に手で掴み、その手で操作する構成にし、
操作部を手前側に引く操作を、天板の保持を解除する解除操作にし、手前側に引いた操作部を原位置に復元させる操作を、天板を保持する保持操作にしたことを特徴とする跳ね上げ型テーブル。
【請求項２】
操作部は、天板の手前側部と並列して左右方向に配置した操作棒であることを特徴とする請求項１に記載の跳ね上げ型テーブル。
【発明の詳細な説明】
【０００１】
【発明の属する技術分野】
本発明は、天板を不使用時に垂直に跳ね上げることのできる跳ね上げ型のテーブルに関する。
【０００２】
【従来の技術】
この種の跳ね上げ型テーブルは、キャスターを下端に取り付けた脚を左右にそれぞれ配置し、左右の脚の上端に天板を水平な使用位置と垂直な収納位置の間を左右方向の軸の回りに回転可能に取り付け、天板を水平使用位置と垂直収納位置に保持する保持装置を左または右の脚に設けている。
【０００３】
会議室や講演会場などで跳ね上げ型テーブルを使用するときには、複数のテーブルを室内の所望の位置に配置する。各テーブルは、それぞれ、天板を水平使用位置に回転して保持する。
【０００４】
跳ね上げ型テーブルを片付けるときには、各テーブルは、それぞれ、天板を垂直収納位置に回転して保持する。天板を垂直に跳ね上げて平面面積を縮小した  テーブルは、収納場所に隣接して並列する。
【０００５】
跳ね上げ型テーブルは、天板を垂直に跳ね上げるときには、天板を水平使用位置に保持している保持装置をその操作部を手で掴んで解除操作する。その後、保持が解除された天板をその手前側部を手で掴んで持ち上げて垂直収納位置に回転する。次に、天板をその位置に手で保持しつつ、保持装置をその操作部を他の手で掴んで保持操作して、天板を垂直収納位置に保持する。
【０００６】
天板を水平に下ろすときには、天板をその上側部を手で掴んで垂直収納位置に保持しつつ、天板を垂直収納位置に保持している保持装置をその操作部を他の手で掴んで解除操作する。次に、保持が解除された天板をその上側部を手で掴んで手前側に引き下げて水平使用位置に回転する。その後、保持装置をその操作部を手で掴んで保持操作して、天板を水平使用位置に固定する。
【０００７】
【発明が解決しようとする課題】
ところが、上記のような跳ね上げ型テーブルは、天板を保持する保持装置の操作部を脚の外側位置に配置し、保持装置を保持操作するまたは解除操作するに  は、脚の外側位置の操作部を手で掴む。また、天板を上げるまたは下ろすには、天板の手前側部ないし上側部を手で掴む。
【０００８】
従って、保持装置を操作するために掴む位置と、天板を上げ下げするために掴む位置が異なるので、作業者は、作業途中で手を掴み直さなければならず、天板の配置位置を変更する作業に多くの手間がかかる。
【０００９】
【課題を解決するための手段】
本発明は、左右の脚の上端に天板を水平な使用位置と垂直な収納位置の間を左右方向の軸の回りに回転可能に取り付け、天板を水平使用位置と垂直収納位置に保持する保持装置を設けた跳ね上げ型テーブルにおいて、
保持装置は、操作部を、天板の手前側部の下側近接位置に配置し、天板の手前側部と一緒に手で掴み、その手で操作する構成にした。また、操作部を手前側に引く操作を、天板の保持を解除する解除操作にし、手前側に引いた操作部を原位置に復元させる操作を、天板を保持する保持操作にした。
【００１０】
また、操作部は、天板の手前側部と並列して左右方向に配置した操作棒である。
【００１１】
天板を垂直に跳ね上げるときには、天板の手前側部を保持装置の操作部と一緒に手で掴み、その手で保持装置の操作部を手前側に引いて解除操作し、保持が解除された天板の手前側部を持ち上げて天板を垂直収納位置に回転し、手前側に引いた操作部を原位置に復元させて保持操作し、天板を垂直収納位置に保持する。
【００１２】
天板を水平に下ろすときには、天板の上側部を保持装置の操作部と一緒に手で掴み、その手で保持装置の操作部を上側に引いて解除操作し、保持が解除された天板の上側部を手前側に引き下げて天板を水平使用位置に回転し、上側に引いた操作部を原位置に復元させて保持操作し、天板を水平使用位置に保持する。
【００１３】
【発明の効果】
本発明においては、保持装置を操作するために掴む位置と、天板を上げ下げするために掴む位置が同じであるので、作業者は、作業途中で手を掴み直す必要がなく、天板の配置位置を変更する作業に多くの手間がかからない。
【００１４】
【発明の実施の形態】
跳ね上げ型テーブルは、会議室や講演会場などで使用され、左右対称構造である。左右の脚１の上端には、天板８を水平な使用位置と垂直な収納位置の間を左右方向の軸１３の回りに回転可能に取り付け、天板８の下方位置に棚１４を水平な使用位置と垂直な収納位置の間を左右方向の軸兼用連結材６の回りに回転可能に設け、天板８と棚１４を水平使用位置と垂直収納位置に保持する保持装置    １８，１９，２０，２１を設けている。
【００１５】
脚１は、図１と図２に示すように、四角筒形状の縦材２の下端に丸棒形状の横材３の中間部を固定し、横材３を前後方向に沿って配置し、横材３の前端と後端の下面にそれぞれキャスター４を取り付け、縦材２の上端にＵ型溝形状の横片５の前端を固定して、横片５を前後方向に沿って配置している。
【００１６】
左右の脚１の縦材２の間には、図１と図２に示すように、丸棒形状の連結材６と四角筒形状の連結材７を左右方向に沿って掛け渡して固定し、左右の脚１を上下の連結材６，７で連結して設立している。
【００１７】
天板８は、左右方向に長い方形板であり、図１と図２に示すように、その下面に一回り小さい下枠９を固定している。下枠９は、図３に示すように、左右方向に沿った四角棒形状の手前側材１０と奥側材１１及び前後方向に沿ったＵ型溝形状の左右の端材１２を左右方向に長い方形枠に組んで構成している。
【００１８】
天板８の下に平行に固定した下枠９は、図１と図３に示すように、左右の端材１２をそれぞれ左右の脚１のＵ型溝形状横片５に嵌合し、各横片５の後端と各端材１２にそれぞれ軸１３を左右方向に沿って貫通して、左右の軸１３をそれぞれ横片５の後端に取り付けている。
【００１９】
天板８は、図１〜図３に示すように、左右の脚１の上端に水平に取り付け、図４と図５に示すように、水平な使用位置から垂直な収納位置まで左右の軸１３の回りに回転可能に設けている。
【００２０】
左右の脚１の間に掛け渡した上側位置の軸兼用の連結材６には、図１と図３に示すように、丸棒製の棚１４の奥側部を回転可能に取り付け、左右方向に長い方形状の棚１４の左右の端にそれぞれ吊り片１５の下端を左右方向に沿った軸１６で回転可能に取り付け、左右の吊り片１５の上端をそれぞれ下枠９の左右の端材１２に左右方向に沿った軸１７で回転可能に取り付けている。
【００２１】
棚１４は、図１〜図３に示すように、下枠９の下方位置に水平に取り付け、図４と図５に示すように、天板８と一緒に水平な使用位置から垂直な収納位置まで連結材６の回りに回転可能に設けている。
【００２２】
天板８を水平使用位置と垂直収納位置に保持する保持装置は、開閉するラッチ機構１８と係止片１９，２０及び操作部の操作棒２１からなる。
【００２３】
ラッチ機構１８は、図１に示すように、下枠９の左右のＵ型溝形状端材１２内にそれぞれ固定し、二股状下部を端材１２の下側に突出して、二股状下部の奥側部と手前側部をそれぞれ脚１の四角筒形状縦材２の上端の内部と手前側に配置している。
【００２４】
左右の脚１の縦材２の上端手前側壁には、それぞれ、図５に示すように、長方形の係合孔を貫通して係合孔の上側に係止片１９を形成している。
【００２５】
左右のラッチ機構１８は、それぞれ、図１〜図３に示すように、その二股状下部に脚１の縦材２上端の係止片１９を挿入して係合し、下枠９の左右の端材１２を左右の脚１の縦材２の上端に連結して、天板８と棚１４をその水平使用位置に保持している。
【００２６】
また、棚１４の左右の吊り片１５には、それぞれ、図１と図２に示すように、係止片２０を外側に突出して固定している。
【００２７】
天板８を垂直収納位置に回転すると、左右のラッチ機構１８は、それぞれ、図４と図５に示すように、その二股状下部に棚１４の吊り片１５外面の係止片２０を挿入して係合し、下枠９の左右の端材１２を棚１４の左右の吊り片１５に連結して、天板８と棚１４をその垂直収納位置に保持する。
【００２８】
操作棒２１は、図１と図３に示すように、下枠９内の手前側部に左右方向に沿って配置し、左右の細径端を、それぞれ、下枠９の左右のＵ型溝形状端材１２の内側壁に貫通した長孔２２に挿通し、左右の端材１２内に突出した左右の細径端に、それぞれ、ラッチ機構１８から突出した連結棒２３の手前側端を連結し、左右の端材１２の長孔２２に沿って前後方向に移動可能に設けている。
【００２９】
ラッチ機構１８は、図６に示すように、ケース２４の下部をその中央位置に挿入溝２５を形成して二股状に形成し、ケース２４内に挿入溝２５を挟んでラッチ板２６とロック板２７をそれぞれ軸２８，２９で回転可能に取り付け、ロック板２７の上端に連結棒２３の端を連結し、ラッチ板２６の内側下部に、ケース２４の挿入溝２５と連通する係合溝３０を形成し、ロック板２７の下端をケース２４の側壁に当たる突起部に形成する一方、ロック板２７の内側部に、ラッチ板２６の係合溝３０上側の山部に当たる山部３１を形成し、ロック板２７の上端とラッチ板２６の上端の間に弾性材の螺旋ばね３２を緊張して掛け渡している。
【００３０】
ラッチ機構１８が閉鎖した状態では、図６に示すように、螺旋ばね３２の弾性力でラッチ板２６の係合溝３０上側の山部がロック板２７の山部３１に当たると共に、ロック板２７の下端の突起部がケース２４の側壁に当たり、ラッチ板２６の係合溝３０がケース２４の挿入溝２５と交差して連通し、ラッチ板２６の係合溝３０下側の山部が挿入溝２５の途中を閉鎖して、係合溝３０と挿入溝２５の底部に挿入した係止片１９（または２０）が閉じ込められて保持されている。
【００３１】
操作棒２１を手前側に移動させて連結棒２３を螺旋ばね３２に抗して引っ張ると、図７に示すように、ロック板２７が回転して、ロック板２７の山部３１がラッチ板２６の係合溝３０上側の山部を乗り越え、ラッチ板２６が螺旋ばね３２の弾性力で回転し、ラッチ板２６の係合溝３０が下外側に移動してケース２４の挿入溝２５と連通しなくなり、係止片１９（または２０）が係合溝３０と挿入溝  ２５の底部から追い出されて解放され、ラッチ機構１８が開放する。
【００３２】
連結棒２３を引っ張ってラッチ機構１８を開放した図７に示す状態で、係止片１９（または２０）を挿入溝２５に突入させてラッチ板２６の係合溝３０上側の山部に当て、ラッチ板２６を螺旋ばね３２に抗して回転すると、係合溝３０が挿入溝２５と交差して連通すると共に、挿入溝２５に突入した係止片１９（または２０）が係合溝３０にも挿入して挿入溝２５の底部に押し込められる。
【００３３】
その状態で、連結棒２３を螺旋ばね３２の弾性力で復元させると、ロック板  ２７が回転し、ロック板２７の山部３１がラッチ板２６の係合溝３０上側の山部の下側に位置する。
【００３４】
その後、係止片１９（または２０）をラッチ板２６の係合溝３０上側の山部から離すと、図６に示すように、螺旋ばね３２の弾性力でラッチ板２６の係合溝  ３０上側の山部がロック板２７の山部３１に当たり、係合溝３０と挿入溝２５の底部に挿入した係止片１９（または２０）が閉じ込められて保持され、ラッチ機構１８が閉鎖する。
【００３５】
また、連結棒２３を引っ張ってラッチ機構１８を開放し、その後、図８に示すように、連結棒２３を螺旋ばね３２の弾性力で復元させた状態で、係止片１９  （または２０）を挿入溝２５に突入させてラッチ板２６の係合溝３０上側の山部に当て、ラッチ板２６を螺旋ばね３２に抗して回転すると、図６に示すように、ラッチ板２６の係合溝３０上側の山部がロック板２７の山部３１を乗り越え、係合溝３０が挿入溝２５と交差して連通すると共に、挿入溝２５に突入した係止片１９（または２０）が係合溝３０にも挿入して挿入溝２５の底部に閉じ込められて保持され、ラッチ機構１８が閉鎖する。
【００３６】
ラッチ機構１８を操作する操作棒２１は、天板８の手前側部と並列してその下側近接位置に配置されているので、天板８の手前側部と一緒に手で掴み、その手で操作することができる。操作が容易である。
【００３７】
天板８を垂直に跳ね上げるときには、天板８の手前側部をその下側近接位置の操作棒２１と一緒に手で掴み、その手で操作棒２１を手前側に引いて左右のラッチ機構１８を解除操作する。すると、左右のラッチ機構１８が開放して左右の脚１の縦材２上端の係止片１９を解放し、天板８と棚１４の水平使用位置での保持が解除される。
【００３８】
操作棒２１を引いた後、手で掴んでいる天板８の手前側部を持ち上げて、図４と図５に示すように、天板８と棚１４を垂直収納位置に回転し、回転後または回転途中に、操作棒２１を引く力を弱めて原位置に復元させ、左右のラッチ機構  １８を保持操作する。すると、左右のラッチ機構１８の挿入溝２５にそれぞれ棚１４の吊り片１５外面の係止片２０が挿入し、左右のラッチ機構１８が閉鎖し  て、天板８と棚１４が垂直収納位置に保持される。
【００３９】
天板８を水平に下ろすときには、天板８の上側部をその手前側近接位置の操作棒２１と一緒に手で掴み、その手で操作棒２１を上側に引いて左右のラッチ機構１８を解除操作する。すると、左右のラッチ機構１８が開放して棚１４の左右の吊り片１５外面の係止片２０を解放し、天板８と棚１４の垂直収納位置での保持が解除される。
【００４０】
操作棒２１を引いた後、手で掴んでいる天板８の上側部を手前側に引き下げ  て、図１〜図３に示すように、天板８と棚１４を水平使用位置に回転し、回転後または回転途中に、操作棒２１を引く力を弱めて原位置に復元させ、左右のラッチ機構１８を保持操作する。すると、左右のラッチ機構１８の挿入溝２５にそれぞれ脚１の縦材２上端の係止片１９が挿入し、左右のラッチ機構１８が閉鎖し  て、天板８と棚１４が水平使用位置に保持される。
【図面の簡単な説明】
【図１】本発明の実施形態の跳ね上げ型テーブルの一部破断左側面図。
【図２】同テーブルの左端部の一部破断正面図。
【図３】同テーブルの左端部の一部破断平面図。
【図４】同テーブルの天板を垂直に跳ね上げた状態の左側面図。
【図５】同テーブルの天板を垂直に跳ね上げた状態の正面図。
【図６】同テーブルの保持装置のラッチ機構の縦断面図。
【図７】同ラッチ機構をその連結棒を引っ張って開放した状態の縦断面図。
【図８】同ラッチ機構をその連結棒を引っ張って開放した後、連結棒を復元させた状態の縦断面図。
【符号の説明】
１  脚
８  天板
１３  軸
１８  保持装置のラッチ機構
１９  保持装置の係止片
２０  保持装置の係止片
２１  保持装置の操作部，操作棒
【図１】
0003667489.tif 000002
【図２】
0003667489.tif 000003
【図３】
0003667489.tif 000004
【図４】
0003667489.tif 000005
【図５】
0003667489.tif 000006
【図６】
0003667489.tif 000007
【図７】
0003667489.tif 000008
【図８】
0003667489.tif 000009